(57)【要約】【課題】効果的に抽選への参加を誘引することができる抽選システムの提供【解決手段】携帯電話２３のユーザは、携帯電話２３を操作し、抽選参加プログラムを起動する。ユーザは、抽選参加誘引掲示物２５に複数表示されている２次元バーコードの中から一つを選択し、携帯電話２３のカメラを用いて２次元バーコードを撮像する。携帯電話２３は、カメラから２次元バーコードを撮像した画像を取得すると、２次元バーコードから抽選条件情報を取得し、取得した抽選条件情報を含む抽選参加メールを生成する。抽選サーバ２１は、抽選参加メールを取得すると、取得した抽選参加メールの送信元アドレス・抽選条件情報を抽出する。携帯電話２３は、取得した抽選条件情報を用いて、抽選を行う。抽選サーバ２１は、抽選の結果を用いて、抽選結果メールを生成する。抽選サーバ２１は、抽選結果メールを抽選参加メールを送信してきた携帯電話２３へ送信する。【選択図】  図２
2010039951.tif 000002
【特許請求の範囲】
【請求項１】
抽選参加誘引情報が表示された抽選参加誘引手段、自らを一位に特定する特定情報を有する抽選参加装置、及び抽選参加誘引情報に基づき抽選を行う抽選装置を有する抽選システムであって、
前記抽選誘引手段は、
複数の前記抽選参加誘引情報を表示し、
前記抽選参加装置は、
前記抽選参加誘引情報を取得する抽選参加誘引情報取得手段、
取得した前記抽選参加誘引情報と前記特定情報とを関連づけた抽選参加情報を送信する抽選参加情報送信手段、
を有し、
前記抽選装置は、
前記抽選参加情報を受信する抽選参加情報受信手段、
前記抽選参加情報から前記特定情報を抽出する特定情報抽出手段、
前記抽選参加情報から前記抽選誘引情報を抽出する抽選誘引情報抽出手段、
抽出した前記抽選誘引情報を用いて、抽選を行う抽選手段、
前記抽選の結果を示す抽選結果情報を、前記抽選誘引情報と関連づけられていた前記特定情報を用いて送信する抽選結果情報送信手段、
を有すること、
を特徴とする抽選システム。
【請求項２】
請求項１に係る抽選システムにおいて、
前記抽選参加誘引手段は、
前記抽選参加誘引情報を含む２次元バーコードを複数表示し、
前記抽選参加誘引情報取得手段は、
前記２次元バーコードを撮像することによって、前記抽選参加誘引情報を取得すること、
を特徴とする抽選システム。
【請求項３】
複数の抽選参加誘引情報が表示された抽選参加誘引手段から取得された前記抽選参加誘引情報と抽選参加装置を一意に特定する特定情報とが関連づけられた抽選参加情報を受信する抽選参加情報受信手段、
前記抽選参加情報から前記特定情報を抽出する特定情報抽出手段、
前記抽選参加情報から前記抽選誘引情報を抽出する抽選誘引情報抽出手段、
抽出した前記抽選誘引情報を用いて、抽選を行う抽選手段、
前記抽選の結果を示す抽選結果情報を、前記抽選誘引情報と関連づけられていた前記特定情報を用いて送信する抽選結果情報送信手段、
を有する抽選装置。
【請求項４】
抽選参加誘引情報を含む２次元バーコードが複数表示された抽選参加誘引物。
【請求項５】
コンピュータを用いて抽選を行う抽選方法であって、
コンピュータが、複数の２次元バーコードが表示された抽選参加誘引手段から取得された前記２次元バーコードに含まれる抽選参加誘引情報と抽選参加装置を一意に特定する特定情報とが関連づけられた抽選参加情報を受信し、
コンピュータが、前記抽選参加情報から前記特定情報を抽出し、
コンピュータが、前記抽選参加情報から前記抽選誘引情報を抽出し、
コンピュータが、抽出した前記抽選誘引情報を用いて、抽選を行い、
コンピュータが、前記抽選の結果を示す抽選結果情報を、前記抽選誘引情報と関連づけられていた前記特定情報を用いて送信すること、
を特徴とする抽選方法。
【発明の詳細な説明】
【技術分野】
【０００１】
本発明は、抽選システムに関し、特に、効果的に抽選への参加を誘引するものに関する。
【背景技術】
【０００２】
従来の抽選システムを図１０を用いて説明する。従来の抽選システム１００は、センタ装置１１５の提供情報蓄積装置１０６に記憶されたスター等からのメッセージに対して、顧客端末１０１からファンがファンレターのようなメールを送信し、抽選に当たると、当該ファンレターに対する返信レターを受信することができる抽選システムである。
【０００３】
ファンが顧客端末１０１を使用してダイヤルし、センタ装置１１５を呼び出すと、センタ装置１１５の網制御装置１０４は、着信信号を制御装置１１４に供給する。
制御装置１１４は顧客端末１０１からの着信信号を受信すると、ガイダンス情報記憶装置１０５に記憶されているガイダンス情報を通信網１０３を介して顧客端末１０１のファンに送出する。制御装置１１４は提供情報蓄積装置１０６に蓄積されている着呼時のスターの応答メッセージを送出する。ファンは前記スターからの応答メッセージに対してメールを送信する。制御装置１１４は、顧客端末１０１を使用したファンからのメールを受信すると、通し番号を顧客端末に送信する。
【０００４】
センタ装置１１５のガイダンス情報記憶装置１０５に記憶されているメールの受付時間が経過すると、制御装置１１４は、受付メール数記憶装置１１３に記憶されている受付メール数Ｎを読み出し、この受付メール数Ｎおよび当選率記憶装置１１０に記憶されている当選率ｒから次式を用いて、当選メール数ｋを算出する。当選メール数ｋ＝受付メール数Ｎｘ当選率ｒ
次に、乱数発生装置１１１を用いて、乱数を発生し、１からＮの間の乱数をｋ個発生し、このｋ個の乱数の値を当選顧客番号記憶装置１０９に記憶する。
メールを送信したファンは、返信メールの聴視時間がくると、顧客端末１０１を利用して、センタ装置１１５を呼び出し、メール送信時に受け取った自分のメール番号をセンタ装置１１５に送信する。センタ装置１１５の制御装置１１４は、顧客端末１０１を介してファンから送信されてくるメール番号を受信すると、制御装置１１４は、当選顧客番号記憶装置１０９に記憶されている当選番号に基づき、ファンのメールが当選しているか否かを判断する。
【０００５】
当選している場合には、制御装置１１４は、送信されてきたメール番号に一致する返信メールを返信用情報記憶装置１０８から読み出し、ファンに、すなわち顧客端末１０１に送信する。落選した場合には、制御装置１１４は、提供情報蓄積装置１０６に予め記憶されている返信情報、すなわちスターからの固定メッセージを顧客端末１０１に送出する。
【特許文献１】特開平３−１４３１３６公報
【発明の開示】
【発明が解決しようとする課題】
【０００６】
しかしながら、特許文献１の抽選システム１００には、以下のような改善すべき点がある。抽選システム１００では、抽選に応募するユーザは、スターのファン等、あらかじめ抽選に応募する動機を有している者に限られる。このため、予め抽選に参加する動機を有しない者、例えば、飲食店に来店している者を、抽選に参加さえることは難しい、という改善すべき点がある。
そこで、本発明は、効果的に抽選への参加を誘引することができる抽選システムを提供する。
【発明の効果】
【０００７】
本発明者は、様々な検討を重ねた結果、本発明に係る視線計測装置を完成した。本発明における課題を解決するための手段及び発明の効果を以下に示す。
本発明に係る抽選システムは、抽選参加誘引情報が表示された抽選参加誘引手段、自らを一位に特定する特定情報を有する抽選参加装置、及び抽選参加誘引情報に基づき抽選を行う抽選装置を有する抽選システムであって、前記抽選誘引手段は、複数の前記抽選参加誘引情報を表示し、前記抽選参加装置は、前記抽選参加誘引情報を取得する抽選参加誘引情報取得手段、取得した前記抽選参加誘引情報と前記特定情報とを関連づけた抽選参加情報を送信する抽選参加情報送信手段、を有し、前記抽選装置は、前記抽選参加情報を受信する抽選参加情報受信手段、前記抽選参加情報から前記特定情報を抽出する特定情報抽出手段、前記抽選参加情報から前記抽選誘引情報を抽出する抽選誘引情報抽出手段、抽出した前記抽選誘引情報を用いて、抽選を行う抽選手段、前記抽選の結果を示す抽選結果情報を、前記抽選誘引情報と関連づけられていた前記特定情報を用いて送信する抽選結果情報送信手段、を有する。
これにより、抽選参加誘引手段に表示された抽選参加誘引情報から特定の抽選参加誘引情報を選択することにゲーム性を与えることができる。よって、効果的に抽選への参加を誘引することができる。
【０００８】
本発明に係る抽選システムでは、前記抽選参加誘引手段は、前記抽選参加誘引情報を含む２次元バーコードを複数表示し、前記抽選参加誘引情報取得手段は、前記２次元バーコードを撮像することによって、前記抽選参加誘引情報を取得する。
これにより、２次元バーコードを撮像することができる抽選参加装置であれば、容易に抽選に参加することができる。
【０００９】
本発明に係る抽選装置は、複数の抽選参加誘引情報が表示された抽選参加誘引手段から取得された前記抽選参加誘引情報と抽選参加装置を一意に特定する特定情報とが関連づけられた抽選参加情報を受信する抽選参加情報受信手段、前記抽選参加情報から前記特定情報を抽出する特定情報抽出手段、前記抽選参加情報から前記抽選誘引情報を抽出する抽選誘引情報抽出手段、抽出した前記抽選誘引情報を用いて、抽選を行う抽選手段、前記抽選の結果を示す抽選結果情報を、前記抽選誘引情報と関連づけられていた前記特定情報を用いて送信する抽選結果情報送信手段、を有する。
これにより、効果的に抽選への参加を誘引することができる。
【００１０】
本発明に係る抽選参加誘引物は、抽選参加誘引情報を含む２次元バーコードが複数表示されている。
これにより、抽選参加誘因物が抽選を誘引するものであるとユーザに認識させることができるという視覚的効果が生ずる。また、抽選参加誘引物に表示された２次元バーコードから特定の２次元バーコードを選択することにゲーム性を与えることができる。よって、効果的に抽選への参加を誘引することができる。さらに、抽選参加誘因物へのユーザの注目度を向上させることができる。よって、効果的に抽選への参加を誘引することができる。
【００１１】
本発明に係る抽選方法は、コンピュータを用いて抽選を行う抽選方法であって、コンピュータが、複数の２次元バーコードが表示された抽選参加誘引手段から取得された前記２次元バーコードに含まれる抽選参加誘引情報と抽選参加装置を一意に特定する特定情報とが関連づけられた抽選参加情報を受信し、コンピュータが、前記抽選参加情報から前記特定情報を抽出し、コンピュータが、前記抽選参加情報から前記抽選誘引情報を抽出し、コンピュータが、抽出した前記抽選誘引情報を用いて、抽選を行い、コンピュータが、前記抽選の結果を示す抽選結果情報を、前記抽選誘引情報と関連づけられていた前記特定情報を用いて送信する。
これにより、効果的に抽選への参加を誘引することができる。
【発明を実施するための最良の形態】
【００１２】
以下、本発明の実施形態について、図面を参照しながら詳細に説明していく。
【実施例１】
【００１３】
１．抽選システムの概要
本発明に係る抽選システムの概要について、図１に示す機能ブロック図を用いて説明する。抽選システム１は、抽選参加誘引情報が表示された抽選参加誘引手段ｍ２５、自らを一位に特定する特定情報を有する抽選参加装置ｍ２３、及び抽選参加誘引情報に基づき抽選を行う抽選装置ｍ２１を有する。
前記抽選誘引手段２５は、複数の前記抽選参加誘引情報を表示する。
前記抽選参加装置ｍ２３は、前記抽選参加誘引情報を取得する抽選参加誘引情報取得手段ｍ２３１、取得した前記抽選参加誘引情報と前記特定情報とを関連づけた抽選参加情報を送信する抽選参加情報送信手段ｍ２３３を有する。
前記抽選装置ｍ２１は、前記抽選参加情報を受信する抽選参加情報受信手段ｍ２１１、前記抽選参加情報から前記特定情報を抽出する特定情報抽出手段ｍ２１３、前記抽選参加情報から前記抽選誘引情報を抽出する抽選誘引情報抽出手段ｍ２１５、抽出した前記抽選誘引情報を用いて、抽選を行う抽選手段ｍ２１７、前記抽選の結果を示す抽選結果情報を、前記抽選誘引情報と関連づけられていた前記特定情報を用いて送信する抽選結果情報送信手段ｍ２１９、を有する。
これにより、抽選参加誘引手段ｍ２５に表示された抽選参加誘引情報から特定の抽選参加誘引情報を選択することにゲーム性を与えることができる。よって、効果的に抽選への参加を誘引することができる。
【００１４】
２．抽選システム１のネットワーク構成
抽選システム１のネットワーク構成を図２に示す。抽選システム１は、抽選サーバ２１、携帯電話２３、及び抽選参加誘引掲示物２５を有している。抽選サーバ２１と携帯電話２３とはネットワークを介したデータの送受信が可能である。以下において、抽選サーバ２１、携帯電話２３、及び抽選参加誘引掲示物２５について説明する。
【００１５】
２．１．抽選サーバ２１のハードウェア構成
抽選サーバ２１のハードウェア構成を図３に示す。抽選サーバ２１は、ＣＰＵ２１１、メモリ２１２、ハードディスク２１３、キーボード２１４、マウス２１５、ディスプレイ２１６、光学式ドライブ２１７、通信回路２１８を有している。
ＣＰＵ２１１は、ハードディスク２１３に記録されているオペレーティング・システム（ＯＳ）、抽選サーバプログラム等その他のアプリケーションに基づいた処理を行う。メモリ２１２は、ＣＰＵ２１１に対して作業領域を提供する。ハードディスク２１３は、オペレーティング・システム（ＯＳ）、抽選サーバプログラム等その他のアプリケーションを記録保持する。
キーボード２１４、マウス２１５は、外部からの命令を受け付ける。ディスプレイ２１６は、ユーザーインターフェイス等の画像を表示する。光学式ドライブ２１７は、抽選サーバプログラムが記録されている光学式メディア２１０から抽選サーバプログラムを読み取り、また、他の光学式メディアからその他のアプリケーションのプログラムを読み取る等、光学式メディアからのデータの読み取りを行う。通信回路２１８は、ネットワークに接続する通信回路を有しており、外部の通信機器とのデータの送受信を行う。
【００１６】
２．２．携帯電話２３のハードウェア構成
携帯電話２３のハードウェア構成を図４を用いて説明する。携帯電話２３は、ＣＰＵ２３１、メモリ２３３、カメラ２３４、送受信回路２３５、入力キー２３７、及びＬＣＤ２３８を有している。
ＣＰＵ２３１は、メモリ２３３に記録されている携帯電話用オペレーティング・システム（ＯＳ）、抽選参加プログラム等その他のアプリケーションに基づいた処理を行う。抽選参加プログラムについては、後述する宇。メモリ２３３は、ＣＰＵ２３１に対して作業領域を提供する。また、メモリ２３３は、携帯電話用ＯＳ、抽選参加プログラム等その他のアプリケーションプログラムを記憶保持している。さらに、メモリ２３３は、携帯電話２３を一意に特定するメール・アドレスを記憶保持している。
カメラ２３４は、外部の景色を画像データとして取得する。送受信回路２３５は、携帯電話網を介して他の携帯電話、固定電話等との通話、及び、サーバ等のコンピュータ、他の携帯電話との電子メールの送受信を行う。入力キー２３７は、テンキー等のキーボード、その他のボタンを有し、外部からの操作入力を受け付ける。ＬＣＤ２３８は、ユーザーインターフェイス等の画像を表示する。
【００１７】
２．３．抽選参加誘引掲示物２５の構成
抽選参加誘引掲示物２５は、例えば、飲食店のテーブル上に載置されるメニュー紹介物のように、人の目にとまりやすい位置に掲示される広告媒体である。抽選参加誘引掲示物２５の構成を図５に示す。抽選参加誘引掲示物２５は、複数の２次元バーコードＢ１、Ｂ３、Ｂ５が印刷された紙媒体である。抽選参加誘引掲示物２５は、自らを一意に特定する掲示物特定情報が予め設定されている。また、２次元バーコードＢ１、Ｂ３、Ｂ５を一意に特定するバーコード特定情報が予め設定されている。これらの掲示物特定情報及びバーコード特定情報は、２次元バーコードに埋め込まれる情報である。
例えば、図５では、２次元バーコードＢ１には、抽選参加誘引掲示物２５の掲示物特定情報が「１００１」及び２次元バーコードＢ１のバーコード特定情報「１」が埋め込まれる。
このように、抽選参加誘引掲示物２５に複数の２次元バーコードを配置することによって、抽選に参加することにゲーム性が生じ、ユーザの抽選への参加動機付けとすることができる。つまり、ユーザの抽選への参加率を向上させることができる。
【００１８】
３．データ
抽選サーバ２１のハードディスク２１３に記憶されている抽選参加者データベース（以下、抽選参加者ＤＢ）、掲示物当選確率データベース（以下、掲示物当選確率ＤＢ）、及びバーコード当選確率データベース（以下、バーコード当選確率ＤＢ）について以下において説明する。
【００１９】
３．１．抽選参加者ＤＢ
抽選参加者ＤＢについて図６を用いて説明する。抽選参加者ＤＢは、抽選に参加しようとして抽選参加メールを送信してきたユーザの電子メール・アドレスを記録するものである。なお、抽選参加メールについては後述する。
抽選参加者ＤＢは、［電子メール・アドレス］列を有している。［電子メール・アドレス］列には、抽選参加メールの送信元アドレスから抽出した電子メール・アドレスが記述される。
【００２０】
３．２．掲示物当選確率ＤＢ
掲示物当選確率ＤＢについて図７を用いて説明する。掲示物当選確率ＤＢは、抽選参加誘引掲示物２５毎に定められる抽選係数を記録するものである。なお、抽選係数については後述する。
掲示物当選確率ＤＢは、［掲示物特定情報］列及び［当選係数］列を有している。［掲示物特定情報］列には、各抽選参加誘引掲示物２５に割り当てられている掲示物特定情報が記述される。［当選係数］列には、［掲示物特定情報］列に記載された掲示物特定情報を有する抽選参加誘引掲示物に割り当てられる抽選係数が記述される。
図７においては、掲示物特定情報が「３００１〜４０００」である抽選参加誘引掲示物については、当選係数「３」が割り当てられていることを示している。
【００２１】
３．３．バーコード当選確率ＤＢ
バーコード当選確率ＤＢについて図８を用いて説明する。バーコード当選確率ＤＢは、抽選参加誘引掲示物２５に表示される２次元バーコード毎に定められる基本となる当選確率である基本当選確率を記録するものである。
バーコード当選確率ＤＢは、［掲示物特定情報］列及び［当選確率］列を有している。また、［当選確率］列は、さらに、抽選参加誘引掲示物２５に表示される各２次元バーコードを特定するバーコード特定情報毎にバーコード特定情報［１］列、バーコード特定情報［２］列、バーコード特定情報［３］列を有している。
［掲示物特定情報］列には、各抽選参加誘引掲示物２５に割り当てられている掲示物特定情報が記述される。［当選確率］列には、［掲示物特定情報］列に記載された掲示物特定情報を有する抽選参加誘引掲示物に表示される２次元バーコード毎に割り当てられる基本抽選確率が、バーコード特定情報［１］列、［２］列、［３］列に対応して記述される。
図８においては、掲示物特定情報が「３００１〜４０００」である抽選参加誘引掲示物については、バーコード特定情報が「１」である２次元バーコードについては基本当選確率「３％」が、バーコード特定情報が「２」である２次元バーコードについては基本当選確率「１％」が、バーコード特定情報が「３」である２次元バーコードについては基本当選確率「１％」が、それぞれ割り当てられていることを示している。
【００２２】
４．抽選システム１の動作
抽選システム１の動作を図９に示すフローチャートを用いて説明する。携帯電話２３のユーザは、携帯電話２３を操作し、抽選参加プログラムを起動する。ユーザは、抽選参加誘引掲示物２５に複数表示されている２次元バーコードの中から一つを選択し、携帯電話２３のカメラ２１４を用いて２次元バーコードを撮像する。
携帯電話２３のＣＰＵ２３１は、カメラ２１４から２次元バーコードを撮像した画像を取得すると（Ｓ６０１）、画像に表示されている２次元バーコードを解析する（Ｓ６０３）。なお、２次元バーコードの解析に当たっては、一般的に使用されている２次元バーコードの解析プログラムを用いる。
ＣＰＵ２３１は、２次元バーコードの解析によって、２次元バーコードに含まれている抽選条件情報を取得する（Ｓ６０５）。図５の抽選参加誘引掲示物２５に表示されている２次元バーコードＢ１〜Ｂ５では、各抽選参加誘引掲示物２５の特定する掲示物特定情報、当該抽選参加誘引掲示物２５に表示されている２次元バーコードを特定するバーコード特定情報、及び抽選参加メールの送信先の電子メール・アドレスを取得する。
ＣＰＵ２３１は、取得した抽選条件情報を含む抽選参加メールを生成する（Ｓ６０７）。この際、抽選参加メールの送信先をステップＳ６０５で取得した送信先の電子メール・アドレスに、送信元の電子メール・アドレスを自らの電子メール・アドレスとする。ＣＰＵ２３１は、生成した抽選参加メールを送信する（Ｓ６０９）。
【００２３】
抽選サーバ２１のＣＰＵ２１１は、抽選参加メールを取得すると（Ｓ７０１）、取得した抽選参加メールの送信元アドレスを抽出し（Ｓ７０３）、抽選参加者ＤＢに登録する（Ｓ７０５）。また、ＣＰＵ２１１は、取得した抽選参加メールから抽選条件情報を抽出する（Ｓ７０７）。
ＣＰＵ２１１は、取得した抽選条件情報を用いて、抽選を行う（Ｓ７０９）。抽選を行うに際しては、掲示物当選確率ＤＢから、掲示物特定情報に対応する当選係数を抽出し、また、バーコード当選確率ＤＢから、掲示物特定情報及びバーコード特定情報に対応する基本当選確率を抽出する。抽出した当選係数及び基本当選確率を乗算して実際に用いる最終的な当選確率を算出し、算出した当選確率を用いて抽選を行う。なお、抽選にあたっては、一般的な、抽選プログラムを用いればよい。
ＣＰＵ２１１は、抽選の結果を用いて、抽選結果メールを生成する（Ｓ７１１）。抽選結果メールを生成するに当たっては、抽選参加者ＤＢから抽選参加者の電子メール・アドレスを取得する。当選者には、例えば、「飲食料１０％ＯＦＦ」を記載した抽選結果メールを生成する。また、落選者には、今回は当選できなかった旨を記載した抽選結果メールを生成する。
ＣＰＵ２１１は、生成した抽選結果メールを抽選参加メールを送信してきた携帯電話２３へ送信する（Ｓ７１３）。
携帯電話２３のＣＰＵ２３１は、抽選結果メールを取得すると（Ｓ６１１）、その内容をＬＣＤ２３６へ表示する等の処理を実行する。
【００２４】
［その他の実施例］
（１）抽選の方法
前述の実施例１においては、抽選サーバ２１が行う抽選は、当選係数及び基本当選確率を乗算することによって当選確率を算出し、算出した当選確率を用いて抽選を行うとしたが、抽選を行うものであれば例示のものに限定されない。例えば、当選確率を乱数を用いて算出するようにしてもよい。
また、前述の実施例１においては、当選係数、基本当選確率を固定としたが、抽選参加メールを受信する毎に、一定期間毎に、等所定のタイミングで動的に変更するようにしてもよい。
さらに、当選時のサービスや商品を提供する景品提供者が、設定できるようにしてもよい。この場合、景品提供者がアクセスすることができる抽選設定画面を用意しておき、当該抽選設定画面において、抽選名（ここからは抽選プロモーションと呼ぶ）抽選の内容（２択、３択、５択、全部当たり等）、抽選本数、及び抽選期間等の抽選設定情報を設定するようにすればよい。
【００２５】
（２）抽選参加メール
前述の実施例１においては、抽選参加メールに掲示物特定情報及びバーコード特定情報を含めることとしたが、抽選に参加することを意思表明できるものであれば、例示のものに限定されない。例えば、掲示物特定情報やバーコード特定情報を含まない、いわゆる空メールを抽選参加メールとして送信するようにしてもよい。
（３）抽選参加誘引掲示物２５
前述の実施例１においては、抽選参加誘引掲示物２５として人の目にとまりやすい位置に掲示される広告媒体としたが、抽選参加誘引情報を表示できるものであれば例示のものに限定されない。例えば、ダイレクトメール、電子メール、折り込みチラシ、ウェブ・ページ、ＬＣＤ等の電子ディスプレイ上での表示物等であってもよい。
【００２６】
（４）２次元バーコード
前述の実施例１においては、抽選参加誘引情報を含むものとして２次元バーコードを示したが、抽選参加誘引情報を含むものであれば例示のものに限定されない。例えば、ＵＲＬの表示、電子メール・アドレスの表示等の文字情報の表示であってもよい。ＵＲＬ等の文字情報による表示では、ユーザが入力キー２３５を用いて入力するようにしてもよく、また、カメラ２３４を用いた文字認識を用いるようにしてもよい。
なお、２次元バーコードとは、文字等のデータを二次元の図形パターンとして表現したものをいい、ＱＲコード（商標）、カラーコード（商標）等を含む概念である。
【産業上の利用可能性】
【００２７】
本発明は、景品等の抽選に用いることができる。また、本発明は、景品の提供を介した広告に用いることができる。
【図面の簡単な説明】
【００２８】
【図１】本発明に係る抽選システムの概要を説明する図である。
【図２】抽選システム１のハードウェア構成示す図である。
【図３】抽選サーバ２１のハードウェア構成示す図である。
【図４】携帯電話２３のハードウェア構成を示す図である。
【図５】抽選参加誘引掲示物２５を示す図である。
【図６】抽選参加者ＤＢのデータ構造を示す図である。
【図７】掲示物当選確率ＤＢのデータ構造を示す図である。
【図８】バーコード当選確率ＤＢのデータ構造を示す図である。
【図９】抽選システム１の動作を示すフローチャートである。
【図１０】従来の抽選システムを説明する図である。
【符号の説明】
【００２９】
１・・・・・抽選システム
２１・・・・・抽選サーバ
２３・・・・・携帯電話
２３４・・・・・カメラ
２５・・・・・抽選参加誘引掲示物
Ｂ１、Ｂ３、Ｂ５・・・・・２次元バーコード
【図１】
2010039951.tif 000003
【図２】
2010039951.tif 000004
【図３】
2010039951.tif 000005
【図４】
2010039951.tif 000006
【図５】
2010039951.tif 000007
【図６】
2010039951.tif 000008
【図７】
2010039951.tif 000009
【図８】
2010039951.tif 000010
【図９】
2010039951.tif 000011
【図１０】
2010039951.tif 000012